(57)【要約】【課題】利用者にとっての利便性を向上させることができる交通システム、および交通利用管理方法を提供することである。【解決手段】実施形態の交通システムは、交通機関の利用開始時に使用される第１の装置は、端末装置に対して自装置の識別情報である第１識別情報がエンコードされた画像を表示部に表示させ、サーバ装置から受信した利用開始可否情報に基づいて利用者の利用開始判定を行う。利用終了時に使用される第２の装置は、読取部に端末装置に表示された画像から利用終了用情報を読み取らせ、利用終了用情報と利用終了用情報による利用終了を許可することを要求する利用終了許可要求情報に基づいて利用終了判定を行う。サーバ装置は、端末装置、第１の装置および第２の装置と通信する第３の通信部が、第１識別情報を含む利用開始要求情報を受信するのに応じて、利用開始可否情報を第１の装置に送信し、利用終了許可要求情報を第２の装置に送信する。【選択図】図１
2018147270.tif 000002
【特許請求の範囲】
【請求項１】
交通機関の利用開始時に使用される第１の装置であって、
利用者の端末装置に対して少なくとも自装置の識別情報である第１識別情報がエンコードされた画像を表示する表示部、サーバ装置と通信する第１の通信部、および、前記第１の通信部が前記サーバ装置から受信した利用開始可否情報に基づいて前記利用者の利用開始判定を行う利用開始判定部を有する第１の装置と、
前記交通機関の利用終了時に使用される第２の装置であって、
前記端末装置に表示された画像から利用終了用情報を読み取る読取部、サーバ装置と通信する第２の通信部、および、前記読取部により読み取られた利用終了用情報と前記第２の通信部が前記サーバ装置から受信した前記利用終了用情報による利用終了を許可することを要求する利用終了許可要求情報とに基づいて利用終了判定を行う利用終了判定部を有する第２の装置と、
サーバ装置であって、
前記端末装置、前記第１の装置および前記第２の装置と通信する第３の通信部、および、前記第３の通信部が、前記端末装置によって前記表示部から読み取られた前記第１識別情報を含む利用開始要求情報を前記端末装置から受信するのに応じて、利用開始可否情報を前記第１の装置に送信するように前記第３の通信部を制御すると共に、前記利用終了許可要求情報を前記第２の装置に送信するように前記第３の通信部を制御する制御部を有するサーバ装置と、
を備える交通システム。
【請求項２】
前記制御部は、
前記第１識別情報に基づいて、利用終了場所となり得る一以上の特定場所を抽出し、前記抽出した特定場所の情報を前記端末装置に送信するように前記第３の通信部を制御し、
前記端末装置において前記抽出された特定場所の中から利用者によって選択された利用終了予定の特定場所の情報を前記第３の通信部が前記端末装置から受信するのに応じて、前記利用終了予定の特定場所の前記第２の装置に前記利用終了許可要求情報を送信するように前記第３の通信部を制御する、
請求項１記載の交通システム。
【請求項３】
複数の第２の装置を、更に備え、
前記第２の装置の利用終了判定部は、前記利用終了許可要求情報に基づいて、利用者の利用終了を許可した場合に前記利用終了を許可したことを示す許可済情報を前記サーバ装置に送信するように前記第２の通信部を制御し、
前記制御部は、前記利用終了予定の特定場所に設けられた前記複数の第２の装置に前記利用終了許可要求情報を送信するように前記第３の通信部を制御した後、前記第３の通信部が、前記許可済情報を前記第２の装置から受信するのに応じて、前記複数の第２の装置のうち、前記許可済情報の送信元でない第２の装置に、前記利用終了許可要求情報を無効にすることを要求する情報を送信するように前記第３の通信部を制御する、
請求項２記載の交通システム。
【請求項４】
前記第３の通信部は、更に、決済サーバと通信し、
前記制御部は、
前記利用開始要求情報に含まれる第１識別情報および利用者の識別情報と、前記利用終了予定の特定場所の情報とを用いて、前記第３の通信部により決済サーバに問い合わせを行い、問い合わせの結果、利用終了可能であると判定された場合に、前記利用終了許可要求情報を前記第２の装置に送信するように前記第３の通信部を制御する、
請求項２または請求項３に記載の交通システム。
【請求項５】
交通機関の利用開始時に使用される第１の装置であって、
利用者の端末装置に表示された画像から利用者の識別情報を読み取る読取部、サーバ装置と通信する第１の通信部、および、自装置の識別情報である第１識別情報、および前記読取部により読み取られた利用者の識別情報をサーバ装置に送信するように前記第１の通信部を制御する装置制御部を有する第１の装置と、
前記交通機関の利用終了時に使用される第２の装置であって、
前記端末装置に対して少なくとも自装置の識別情報である第２識別情報がエンコードされた画像を表示する表示部、サーバ装置と通信する第２の通信部、および、前記第２の通信部が前記サーバ装置から受信した利用終了を許可する情報に応じて、利用者の利用終了を許可する利用終了判定部を有する第２の装置と、
サーバ装置であって、
前記端末装置、前記第１の装置および前記第２の装置と通信する第３の通信部、および、前記第３の通信部が、前記第１の通信部により送信された前記利用者の識別情報および前記第１識別情報と、前記端末装置により送信された前記利用者の識別情報および前記第２識別情報とを受信するのに応じて、前記利用終了を許可する情報を前記第２の装置に送信するように前記第３の通信部を制御する制御部を有するサーバ装置と、
を備える交通システム。
【請求項６】
交通機関の利用開始時に使用される第１の装置であって、
利用者の端末装置に対して少なくとも自装置の識別情報である第１識別情報がエンコードされた画像を表示する表示部、サーバ装置と通信する第１の通信部、および、前記第１の通信部が前記サーバ装置から受信した利用開始可否情報に基づいて前記利用者の利用開始判定を行う利用開始判定部を有する第１の装置と、
前記交通機関の利用終了時に使用される第２の装置であって、
前記端末装置に対して少なくとも自装置の識別情報である第２識別情報がエンコードされた画像を表示する表示部、サーバ装置と通信する第２の通信部、および、前記第２の通信部が前記サーバ装置から受信した利用終了を許可する情報に応じて、利用者の利用終了を許可する利用終了判定部を有する第２の装置と、
サーバ装置であって、
前記端末装置、前記第１の装置および前記第２の装置と通信する第３の通信部、および、前記第３の通信部が、前記端末装置により送信された前記利用者の識別情報および前記第１識別情報と、前記端末装置により送信された利用者の識別情報および前記第２識別情報とを受信するのに応じて、前記利用終了を許可する情報を前記第２の装置に送信するように前記第３の通信部を制御する制御部を有するサーバ装置と、
を備える交通システム。
【請求項７】
前記第３の通信部は、更に、決済サーバと通信し、
前記制御部は、
前記利用者の識別情報、前記第１識別情報、および前記第２識別情報を用いて、前記第３の通信部により決済サーバに問い合わせを行い、問い合わせの結果、利用終了可能であると判定された場合に、前記利用終了を許可する情報を前記第２の装置に送信するように前記第３の通信部を制御する、
請求項５または請求項６記載の交通システム。
【請求項８】
交通機関の利用開始時に使用される第１の装置が、
利用者の端末装置に対して少なくとも自装置の識別情報である第１識別情報がエンコードされた画像を表示部に表示させ、
サーバ装置と通信する第１の通信部が前記サーバ装置から受信した利用開始可否情報に基づいて前記利用者の利用開始判定を行い、
前記交通機関の利用終了時に使用される第２の装置が、
前記端末装置に表示された画像から利用終了用情報を読み取り、
前記読み取られた利用終了用情報と前記サーバ装置と通信する第２の通信部が前記サーバ装置から受信した前記利用終了用情報による利用終了を許可することを要求する利用終了許可要求情報とに基づいて利用終了判定を行い、
サーバ装置が、
前記端末装置、前記第１の装置および前記第２の装置と通信する第３の通信部が、前記端末装置によって前記表示部から読み取られた前記第１識別情報を含む利用開始要求情報を前記端末装置から受信するのに応じて、利用開始可否情報を前記第１の装置に送信するように前記第３の通信部を制御すると共に、前記利用終了許可要求情報を前記第２の装置に送信するように前記第３の通信部を制御する、
交通利用管理方法。
【請求項９】
交通機関の利用開始時に使用される第１の装置が、
利用者の端末装置に表示された画像から利用者の識別情報を読み取り、
自装置の識別情報である第１識別情報、および前記読み取られた利用者の識別情報をサーバ装置に送信するように、サーバ装置と通信する第１の通信部を制御し、
前記交通機関の利用終了時に使用される第２の装置が、
前記端末装置に対して少なくとも自装置の識別情報である第２識別情報がエンコードされた画像を表示し、
サーバ装置と通信する第２の通信部が前記サーバ装置から受信した利用終了を許可する情報に応じて、利用者の利用終了を許可し、
サーバ装置が、
前記端末装置、前記第１の装置および前記第２の装置と通信する第３の通信部が、前記第１の通信部により送信された前記利用者の識別情報および前記第１識別情報と、前記端末装置により送信された前記利用者の識別情報および前記第２識別情報とを受信するのに応じて、前記利用終了を許可する情報を前記第２の装置に送信するように前記第３の通信部を制御する、
交通利用管理方法。
【請求項１０】
交通機関の利用開始時に使用される第１の装置が、
利用者の端末装置に対して少なくとも自装置の識別情報である第１識別情報がエンコードされた画像を表示し、
サーバ装置と通信する第１の通信部が前記サーバ装置から受信した利用開始可否情報に基づいて前記利用者の利用開始判定を行い、
前記交通機関の利用終了時に使用される第２の装置が、
前記端末装置に対して少なくとも自装置の識別情報である第２識別情報がエンコードされた画像を表示し、
サーバ装置と通信する第２の通信部が前記サーバ装置から受信した利用終了を許可する情報に応じて、利用者の利用終了を許可し、
サーバ装置が、
前記端末装置、前記第１の装置および前記第２の装置と通信する第３の通信部が、前記端末装置により送信された前記利用者の識別情報および前記第１識別情報と、前記端末装置により送信された利用者の識別情報および前記第２識別情報とを受信するのに応じて、前記利用終了を許可する情報を前記第２の装置に送信するように前記第３の通信部を制御する、
交通利用管理方法。
【発明の詳細な説明】
【技術分野】
【０００１】
本発明の実施形態は、交通システム、および交通利用管理方法に関する。
【背景技術】
【０００２】
従来、自動改札機を通過するのに必要な各種情報がエンコードされたＱＲコード（登録商標）などの画像を、端末装置の表示画面に表示させたものを乗車券として利用する技術が知られている。自動改札機の側では、画像をカメラなどで撮像し、画像解析によって各種情報を読み取って通過可否の判定を行う。この技術においては、乗車情報を事前に予約する必要があったり、予約をするための操作が煩雑であったりするため、利用者にとって利便性が低い場合があった。
【先行技術文献】
【特許文献】
【０００３】
【特許文献１】特開２０１２−１５５３７１号公報
【発明の概要】
【発明が解決しようとする課題】
【０００４】
本発明が解決しようとする課題は、利用者にとっての利便性を向上させることができる交通システム、および交通利用管理方法を提供することである。
【課題を解決するための手段】
【０００５】
実施形態の交通システムは、第１の装置と、第２の装置と、サーバ装置とを持つ。第１の装置は交通機関の利用開始時に使用される。第１の装置は、表示部と第１の通信部と入場判定部とを持つ。表示部は、利用者の端末装置に対して少なくとも自装置の識別情報である第１識別情報がエンコードされた画像を表示する。第１の通信部は、サーバ装置と通信する。入場判定部は、前記第１の通信部が前記サーバ装置から受信した入場可否情報に基づいて前記利用者の入場判定を行う。第２の装置は、前記交通機関の利用終了時に使用される。第２の装置は、読取部と第２の通信部と出場判定部とを持つ。読取部は、前記端末装置に表示された画像から出場用情報を読み取る。第２の通信部は、サーバ装置と通信する。出場判定部は、前記読取部により読み取られた出場用情報と前記第２の通信部が前記サーバ装置から受信した前記出場用情報による出場を許可することを要求する出場許可要求情報とに基づいて出場判定を行う。サーバ装置は、第３の通信部と制御部とを持つ。第３の通信部は、前記端末装置、前記第１の装置および前記第２の装置と通信する。制御部は、前記第３の通信部が、前記端末装置によって前記表示部から読み取られた前記第１識別情報を含む入場要求情報を前記端末装置から受信するのに応じて、入場可否情報を前記第１の装置に送信するように前記第３の通信部を制御すると共に、前記出場許可要求情報を前記第２の装置に送信するように前記第３の通信部を制御する。
【図面の簡単な説明】
【０００６】
【図１】第１の実施形態における改札システム１を示す図。
【図２】タイプαの自動改札機３０αを上方から見た図。
【図３】タイプβの自動改札機３０βを上方から見た図。
【図４】自動改札機３０αの機能構成を示す図。
【図５】改札機情報５４および出場許可リスト５６の内容を示す図。
【図６】自動改札機３０βの機能構成を示す図。
【図７】センタサーバ装置７０の機能構成を示す図。
【図８】決済サーバ装置９０の機能構成を示す図。
【図９】端末装置１００の構成の一例を示す図。
【図１０】入場時に改札システム１によって行われる処理の概要を示す図。
【図１１】入場用情報５５の内容を示す図。
【図１２】利用者が入場駅に入場し、且つ出場する前に改札システム１によって行われる処理の概要を示す図。
【図１３】出場時に改札システム１によって行われる処理の概要を示す図。
【図１４】管理テーブル８４の内容を示す図。
【図１５】改札システム１により実行される処理を示すシーケンス図。
【図１６】センタサーバ装置７０により実行される処理の流れを示すフローチャート。
【図１７】第２の実施形態の改札システム１により実行される処理を示すシーケンス図。
【図１８】センタサーバ装置７０により実行される処理の流れを示すフローチャート。
【図１９】第３の実施形態の改札システム１により実行される処理を示すシーケンス図。
【図２０】センタサーバ装置７０により実行される処理の流れを示すフローチャート。
【図２１】第４の実施形態の改札システム１により実行される処理を示すシーケンス図。
【図２２】第４の実施形態のセンタサーバ装置７０により実行される処理の流れを示すフローチャート。
【発明を実施するための形態】
【０００７】
以下、実施形態の交通システム、および交通利用管理方法を、図面を参照して説明する。実施形態の交通システムは、例えば鉄道やバスなどの公共交通機関において、駅の入出場やバスの乗降車の管理を行うシステムである。以下の説明では、交通システムが鉄道駅において適用される例について説明する。
【０００８】
［全体構成］
各実施形態において共通の構成から説明する。図１は、第１の実施形態における改札システム１を示す図である。改札システム１は、例えば、Ａ駅システム１０Ａと、Ｂ駅システム１０Ｂと、センタサーバ装置７０と、決済サーバ装置９０と、端末装置１００とを備える。なお、改札システム１は、Ａ駅システム１０Ａ、およびＢ駅システム１０Ｂの他に、複数の駅システムを含んでもよい。以下、Ａ駅システム１０Ａと、Ｂ駅システム１０Ｂとを区別しない場合は、単に「駅システム１０」と称する。また、図示する例では、Ａ駅システム１０Ａに含まれる構成を符号の末尾に「Ａ」を付し、Ｂ駅システム１０Ｂに含まれる構成を符号の末尾に「Ｂ」を付して示している。いずれの駅システムに含まれる構成であるか区別しない場合は、「Ａ」または「Ｂ」を省略して示す。
【０００９】
また、駅システム１０は、例えば、や駅サーバ２０や複数の自動改札機３０（３０Ａ−１〜３０Ａ−Ｎ（「Ｎ」は任意の自然数）、および３０Ｂ−１〜３０Ｂ−Ｎ）の他、券売機、駅務機器等を備える。駅サーバ２０は、ネットワークＮＷを介してセンタサーバ装置７０から取得した情報を、専用線を介して自動改札機３０に送信したり、自動改札機３０から専用線を介して取得した情報を、ネットワークＮＷを介してセンタサーバ装置７０に送信したりする。ネットワークＮＷは、ＬＡＮ（Local Area Network）や、ＷＡＮ（Wide Area Network）、Ｗｉ−Ｆｉ網等を含む。
【００１０】
［自動改札機］
改札システム１における自動改札機３０は、タイプαの自動改札機３０αとタイプβの自動改札機３０βとを含む。以下の各実施形態では、これらのうち一方または双方が使用される。
【００１１】
図２は、タイプαの自動改札機３０αを上方から見た図である。自動改札機３０αは、所定の情報がエンコードされたコードを表す画像を処理する自動改札機である。上記のコードは、例えば、ＱＲコード等の二次元コードや、バーコード等の一次元コード等である。なお、上記のコードは、機械（自動改札機３０）によって内容が認識可能であると共に、人が視認することによって内容が認識できないものであれば如何なる態様であってもよい。
【００１２】
自動改札機３０αは、筐体３１と、リーダ３２と、通過センサ３８−１から３８−４と、上面表示部４０と、正面表示部４２と、扉４４および４５と、制御部５０とを備える。リーダ３２は、「読取部」の一例である。
【００１３】
自動改札機３０のリーダ３２は、例えば筐体３１の一端に設けられる。リーダ３２は、図２のａ方向に通過しようとする利用者によって提示された画像にエンコードされた情報を読み取って、読み取った情報を制御部５０に出力する。
【００１４】
リーダ３２は、例えば、接近検出センサと、光学読取部と、ライトとを備える。接近検出センサは、利用者が端末装置１００の表示部に表示された画像をリーダ３２に提示する際に、検出面に端末装置１００が接近した場合に、物体が接近している旨を示す検出信号を制御部５０に出力する。これにより、接近検出センサは、端末装置１００がリーダ３２に提示されたことを検出する。接近検出センサは、例えば、赤外線センサやステレオカメラ等により実現される。
【００１５】
光学読取部は、ＣＣＤ（Charge Coupled Device）やＣＭＯＳ（Complementary Metal Oxide Semiconductor）等の固体撮像素子を備えたカメラを含む。また、光学読取部は、バーコードリーダのように受光素子と増幅器、情報解読部（デコード部）等を備えるものであってもよい。
【００１６】
光学読取部は、利用者によって、リーダ３２に提示された画像を撮像する。光学読取部は、撮像した画像を制御部５０に出力する。ライトは、光学読取部が画像を撮像する際に、画像に向けて光を照射する。
【００１７】
通過センサ３８−１から３８−１は、例えば自動改札機３０の通路側の側面に複数設けられる。複数の通過センサ３８−１から３８−１は、自動改札機３０により形成された通路内の利用者を検出する。通過センサ３８−１から３８−１は、例えば赤外線センサや、光センサなどで実現される。通過センサ３８−１から３８−１は、対向する補機に設けられた通過センサと連携して通路内の利用者を検出するものであってもよい。なお、自動改札機３０−１は、任意の数の通過センサを備えてよい。以下、通過センサを他の通過センサと区別しない場合は、ハイフン（−）以下の符号を省略し、単に通過センサ３８と表記する。
【００１８】
上面表示部４０は、リーダ３２に画像が提示された場合に、制御部５０によって処理された結果を表示する。正面表示部４２は、図２のａ方向に通過可能であるか否かを示すマークや図形、文字等を表示する。正面表示部４２の表示内容または表示の有無は、制御部５０によって決定される。
【００１９】
自動改札機３０の制御部５０αは、扉４４および対向する補機の扉４５を開放状態または閉止状態に制御することで、図２のａ方向に通過しようとしている利用者の通過を許可または禁止する。
【００２０】
図３は、タイプβの自動改札機３０βを上方から見た図である。以下、自動改札機３０βを自動改札機３０αとの相違点を中心に説明する。自動改札機３０βは、自動改札機３０βの情報（後述する改札機情報５４）をエンコードしたコード（例えばＱＲコード）を含むコード画像をコード表示部４６に表示させる自動改札機である。
【００２１】
自動改札機３０βは、リーダ３２に代えて、コード表示部４６を備える。コード表示部４６は、図３のａ方向に通過しようとする利用者に対してコード画像を表示する。コード表示部４６は、「画像を表示する表示部」の一例である。
【００２２】
図４は、自動改札機３０αの機能構成を示す図である。自動改札機３０αの制御部５０αは、例えば、改札機側記憶部５２と、画像処理部５８と、改札処理部６０と、通過制御部６４と、改札機側通信部６６とを備える。画像処理部５８、改札処理部６０、および通過制御部６４は、ＣＰＵ（Central Processing Unit）等のプロセッサがプログラムを実行することで実現されてよい。また、これらの機能部のうち一部または全部は、ＬＳＩ（Large Scale Integration）やＡＳＩＣ（Application Specific Integrated Circuit）、ＦＰＧＡ（Field-Programmable Gate Array）等のハードウェアで実現されてもよい。改札処理部６０は、「利用開始判定部」、「利用終了判定部」または「装置制御部」の一例である。改札機側通信部６６は、「第１の通信部」または「第２の通信部」の一例である。
【００２３】
改札機側記憶部５２は、例えば、ＲＯＭ（Read Only Memory）、フラッシュメモリ、ＨＤＤ（Hard Disk Drive）、ＳＤカード等の不揮発性の記憶媒体と、ＲＡＭ（Random Access Memory）、レジスタ等の揮発性の記憶媒体とによって実現される。改札機側記憶部５２は、プロセッサが実行するプログラムや、改札機情報５４、出場許可リスト５６等を格納する。改札機情報５４は、自動改札機３０αが出場駅に設置されている場合には、省略されてもよい。また、出場許可リスト５６は、自動改札機３０αが出場駅に設置されている場合に用いられ、入場駅に設置されている場合には省略される。
【００２４】
図５は、改札機情報５４および出場許可リスト５６の内容を示す図である。改札機情報５４は、交通機関の事業者名、自動改札機３０が設置された自駅の識別情報（駅ＩＤ）、自動改札機３０が設置された駅内の位置を示す情報（駅内位置情報）、自動改札機３０の識別情報（改札機ＩＤ）、および利用者が通過する方向を示す入出場方向が互いに対応付けられた情報である。
【００２５】
出場許可リスト５６は、当該自動改札機を出場することができる利用者ＩＤの一覧情報である。利用者ＩＤは、例えば、端末装置１００において改札処理アプリ１１２を利用やダウンロード等する際に、アプリケーションサーバ装置によって発行された識別情報である。出場許可リスト５６は、センタサーバ装置７０により送信された情報である。改札処理部６０は、出場許可リスト５６に含まれる利用者ＩＤを有する利用者の出場を許可する。利用者が自動改札機３０を通過した後、改札処理部６０によって、出場許可リスト５６において出場した利用者の利用者ＩＤは削除されたり、当該利用者ＩＤに対して「出場済」の情報が対応付けられたりする。出場許可リスト５６に含まれるそれぞれの利用者ＩＤは、「出場許可要求情報（利用許可要求情報）」の一例である。
【００２６】
画像処理部５８は、光学読取部により撮像された画像から得られる電子情報に対してデコード等の処理を行い、ビット列などで表されるコンピュータが認識可能な情報に変換する。電子情報とは、例えば、画像の画素情報を配列化した情報である。画像処理部５８は、上記処理により二次元コードや、一次元コード等に符号化された情報の内容を読み取る。なお、このような画像解析の機能を、光学読取部が備えてもよい。
【００２７】
改札処理部６０は、自動改札機３０αが入場駅に設置されている場合、端末装置１００に表示された画像から読み取った情報や、改札機側通信部６６がセンタサーバ装置７０から受信した情報に基づいて利用者の入場判定を行う。また、改札処理部６０は、自動改札機３０αが出場駅に設置されている場合、リーダ３２により読み取られた出場用情報（例えば利用者ＩＤ）と、出場許可リスト５６とに基づいて出場判定を行う。
【００２８】
通過制御部６４は、改札処理部６０の判定結果に基づいて、利用者の通過を許可、または禁止する制御を実行する。利用者の通過を禁止する制御をする場合、通過制御部６４は、扉４４、４５を閉止状態にしたり、上面表示部４０に通過を許可しないことを示す情報を表示させたりする。利用者の通過を許可する制御をする場合、通過制御部６４は、扉４４、４５を開放状態にしたり、上面表示部４０に通過を許可することを示す情報を表示させたりする。
【００２９】
改札機側通信部６６は、センタサーバ装置７０と通信する。改札機側通信部６６は、制御部５０の処理結果や、改札機側記憶部５２に記憶された情報等をサーバ装置７０に送信する。
【００３０】
自動改札機３０βの制御部５０βについて、自動改札機３０αの制御部αとの相違点について説明する。図６は、自動改札機３０βの機能構成を示す図である。自動改札機３０βの制御部５０βは、例えば、改札機側記憶部５２と、改札処理部６０と、コード生成部６２と、通過制御部６４と、改札機側通信部６６とを備える。
【００３１】
改札機側記憶部５２は、プロセッサが実行するプログラムや、改札機情報５４等を格納する。改札処理部６０は、自動改札機３０βが入場駅に設置されている場合、端末装置１００に表示された画像から読み取った情報や、改札機側通信部６６がセンタサーバ装置７０から受信した情報に基づいて利用者の入場判定を行う。改札処理部６０は、自動改札機３０βが出場駅に設置されている場合、改札機側通信部６６がセンタサーバ装置７０から受信した情報に基づいて利用者の入場判定を行う。コード生成部６２は、改札機情報５４をエンコードしたコード（例えばＱＲコード）を含むコード画像を生成し、生成したコード画像を上面表示部４０に表示させる。
【００３２】
なお、自動改札機３０βは、自動改札機３０αが備える機能構成を備えてもよい。また、自動改札機３０αまたは自動改札機３０βは、ＩＣカードに記憶された情報を処理可能な機能や、磁気券を処理可能な機能を備えてもよい。また、自動改札機３０αまたは自動改札機３０βは、利用者の一方向の通過のみ許可するものに限らず、主機と従機を備えることによって、利用者の双方向の通過を許可するものであってもよい。
【００３３】
（第１の実施形態）
第１の実施形態では、入場駅では自動改札機３０β（第１の装置）が利用され、出場駅では自動改札機３０α（第２の装置）が利用される。第１の実施形態では、入場時に端末装置１００が、自動改札機３０のコード表示部４６に表示されたコード画像から情報を読み取り、出場時に自動改札機３０が、端末装置１００のタッチパネル部１０２に表示された利用者ＩＤをエンコードしたコード（例えばＱＲコード）を含むＩＤ画像ＩＤ画像から情報を読み取る。
【００３４】
自動改札機３０βの改札処理部６０は、利用者の端末装置１００に対して改札機情報５４（少なくとも自駅の識別情報である入場駅識別情報（第１識別情報））がエンコードされたコード画像をコード表示部４６に表示させる。改札処理部６０は、センタサーバ装置７０と通信する改札機側通信部６６がセンタサーバ装置７０から受信した入場許可メッセージ（入場可否情報（利用開始可否情報））に基づいて利用者の入場判定を行う。
【００３５】
自動改札機３０αの改札処理部６０は、リーダ３２により読み取られた利用者ＩＤ（出場用情報（利用終了用情報））と改札機側通信部６６がセンタサーバ装置７０から受信した出場許可リスト５６（出場用情報による出場を許可することを要求する出場許可要求情報（利用終了許可要求情報））とに基づいて出場判定を行う。
【００３６】
［センタサーバ装置］
図７は、センタサーバ装置７０の機能構成を示す図である。センタサーバ装置７０は、例えば、センタサーバ側通信部７２と、情報処理部７４と、センタサーバ側記憶部８０とを備える。センタサーバ側通信部７２は、「第３の通信部」の一例である。情報処理部７４は、「制御部」の一例である。
【００３７】
センタサーバ側通信部７２は、自動改札機３０、決済サーバ装置９０、および端末装置１００と通信する。情報処理部７４は、センタサーバ側通信部７２が、端末装置１００によって自動改札機３０の表示部から読み取られた入場駅識別情報を含む入場要求情報を端末装置１００から受信するのに応じて、入場可否情報を利用者が入場する入場駅に設置された自動改札機３０に送信するようにセンタサーバ側通信部７２を制御する。また、情報処理部７４は、出場用情報による出場を許可することを要求する出場許可要求情報を利用者が出場する出場駅に設置された自動改札機３０に送信するようにセンタサーバ側通信部７２を制御する（詳細は後述）。
【００３８】
センタサーバ側記憶部８０は、情報処理部７４により実行されるプログラムや、各駅に設定された自動改札機の識別情報（改札機ＩＤ）、運賃テーブル８２、管理テーブル８４等が記憶されている。運賃テーブル８２は、駅や駅間の運賃が一覧となっている情報である。管理テーブル８４については後述する。
【００３９】
［決済サーバ装置］
図８は、決済サーバ装置９０の機能構成を示す図である。決済サーバ装置９０は、例えば、決済サーバ側通信部９２と、決済管理部９４と、決済サーバ側記憶部９６とを備える。決済サーバ側通信部９２は、センタサーバ装置７０と情報を送受信する。決済管理部９４は、センタサーバ装置７０の依頼に基づいて、決済処理を行い、決済サーバ側通信部９２を用いて、決済処理の結果をセンタサーバ装置７０に送信する。決済サーバ側記憶部９６は、決済管理部９４により実行されるプログラムや、決済情報９８等が記憶されている。決済情報９８とは、利用者の氏名や、決済の方法（例えばクレジットカードによる決済や、銀行口座による決済、電子マネーによる決済等）、決済方法に対応する情報（銀行口座番号や、クレジットカード番号等）である。
【００４０】
［端末装置］
図９は、端末装置１００の構成の一例を示す図である。端末装置１００は、例えば、タッチパネル部１０２と、端末側通信部１０４と、端末処理部１０６と、カメラ１０８と、端末側記憶部１１０とを備える。タッチパネル部１０２は、利用者による入力操作を受け付ける操作部と、画像を表示する表示部と、が一体として形成されている。なお、端末装置１００は、タッチパネル部１０２に代えて（或いは、加えて）、例えば、ボタン、キーボード、マウス、マイク、タッチパネル等の操作部と、表示部とを備えてもよい。
【００４１】
端末側通信部１０４は、図示しない無線基地局により仲介されるセルラー網やＷｉ−Ｆｉ網、専用回線、プロバイダ、インターネット等を介してセンタサーバ装置７０と通信する。
【００４２】
端末処理部１０６は、ＣＰＵ等のプロセッサが端末側記憶部１１０に記憶されたプログラム（例えば改札処理アプリ１１２）を実行することにより実現される。プログラムは、例えば、ネットワークＮＷを介してアプリケーションサーバからダウンロードされてもよいし、ＳＤカードなどの可搬型記憶媒体に格納されたものが端末装置１００にインストールされてもよい。利用者が、最初に改札処理アプリ１１２を利用またはダウンロード等する際に、利用者は、表示部に表示された画像において、タッチパネル部１０２を操作して、氏名の入力や、所定の処理を実行可能させるためのパスワード、鉄道の運賃の決済の方法の選択などの利用者登録を行う。利用者は、選択した決済方法に応じて、クレジットカード番号や、銀行口座の番号等の入力を行う。利用者登録された情報は、アプリケーションサーバを介して、センタサーバ装置７０および決済サーバ装置９０に送信され、各サーバ装置の記憶部に記憶される。なお、センタサーバ装置７０が、アプリケーションサーバと同等の機能を有してもよい。
【００４３】
端末処理部１０６は、カメラ１０８により撮像された画像から得られる電子情報に対してデコード等の処理を行い、ビット列などで表されるコンピュータが認識可能な情報に変換する。端末処理部１０６は、上記処理によりＱＲコード等の二次元コードや、バーコード等の一次元コード等に符号化された情報の内容を読み取る。端末処理部１０６は、利用者ＩＤをエンコードしたコード（例えばＱＲコード）を含むＩＤ画像を生成し、生成した画像をタッチパネル部１０２に表示させる。また、端末処理部１０６は、自動改札機３０において行われる改札処理に伴う処理を行う。端末側記憶部１１０は、プロセッサが実行する改札処理アプリ１１２等のプログラムを格納する。
【００４４】
［改札システムの処理の概要］
図１０は、入場時に改札システム１によって行われる処理の概要を示す図である。入場駅において、利用者は、所定の操作によって改札処理アプリ１１２を起動させると、改札処理アプリ１１２が起動することによって端末装置１００のカメラがオン状態に制御される。この状態で、利用者が、自動改札機３０のコード表示部４６に表示されたコード画像を撮像すると、端末処理部１０６は、コード画像にエンコードされた改札機情報５４を取得する。
【００４５】
端末処理部１０６は、取得した改札機情報５４に利用者ＩＤを加えた入場用情報５５をセンタサーバ装置７０に送信する。図１１は、入場用情報５５の内容を示す図である。センタサーバ装置７０は、入場用情報５５を取得すると、管理テーブル８４の対応する項目に入場用情報を対応付け、入場許可メッセージ（入場可否情報）を入場駅の自動改札機３０に送信する。入場駅の自動改札機３０は、入場許可メッセージを受信すると、利用者の入場を許可する。これにより、利用者は入場駅の自動改札機３０を通過することができる。
【００４６】
なお、複製された画像等が使用されることを抑制するために、改札機情報５４がエンコードされたコード画像（ＱＲコードなどの二次元コード）は、所定期間ごとに変更されてもよい。また、改札機情報５４には、日時や所定の暗号が含まれていてもよい。この場合、センタサーバ装置７０は、利用者ＩＤと共に所定の暗号を受信しなかった場合、あるいは情報の有効期間が過ぎている場合、不正な改札処理が行われている可能性があるため、利用者の入場を許可しなくてもよい。
【００４７】
また、端末装置１００は、入場用情報５５をセンタサーバ装置７０に送信する前に、タッチパネル部１０２に予め利用者によって設定されたパスワードを入力するための画像を表示させ、利用者によってパスワードが入力された場合に、入場用情報５５をセンタサーバ装置７０に送信してもよい。また、端末装置１００は、入場用情報５５をセンタサーバ装置７０に送信する前に、タッチパネル部１０２に送信の指示を受け付ける送信指示ボタンを表示させ、利用者によって送信指示ボタンが操作された場合に、入場用情報５５をセンタサーバ装置７０に送信してもよい。
【００４８】
図１２は、利用者が入場駅に入場し、且つ出場する前に改札システム１によって行われる処理の概要を示す図である。入場駅に入場し、且つ出場駅から出場する前において、センタサーバ装置７０の情報処理部７４は、出場駅となり得る駅（特定場所）およびそれらの駅までの運賃の一覧リストを端末装置１００に送信する。出場駅とは、例えば入場駅を管理する鉄道事業者または入場駅を管理する鉄道事業者と提携している鉄道事業者が運営する路線上の駅である。このようにセンタサーバ装置７０が、運賃を端末装置１００に送信することにより、運賃の改定があった場合であっても、運賃テーブル８２の内容を書き換えることにより、運賃改定に対応させることができ、端末装置１００にダウンロード等された改札処理アプリ１１２のアップデートが不要である。
【００４９】
端末装置１００の端末処理部１０６は、一覧リストを受信すると、タッチパネル部１０２に一覧リストを表示させる。利用者が、タッチパネル部１０２に表示された一覧リストから鉄道事業者や、路線、出場駅を選択すると、端末処理部１０６は、利用者ＩＤおよび選択された出場駅の情報をセンタサーバ装置７０に送信する。なお、端末処理部１０６は、利用者に対してパスワードの入力を求め、パスワードが入力された場合に利用者ＩＤおよび選択された出場駅の情報をセンタサーバ装置７０に送信してもよい。
【００５０】
センタサーバ装置７０の情報処理部７４は、端末装置１００から利用者ＩＤおよび選択された出場駅の情報を受信すると、利用者ＩＤ、選択された出場駅、および運賃の情報を決済サーバ装置９０に送信する。決済サーバ装置９０の決済管理部９４は、利用者ＩＤ、選択された出場駅、および運賃の情報を受信すると、利用者ＩＤに対して設定された決済方法を用いて、運賃の決済が可能であるか否かを判定し、判定結果をセンタサーバ装置７０に送信する。
【００５１】
なお、決済サーバ装置９０は、銀行やクレジットカード会社が管理するサーバ装置であってもよいし、銀行やクレジットカード会社が管理するサーバ装置に決済を依頼するサーバ装置であってもよい。例えば、銀行に決済を依頼するサーバ装置である場合、決済サーバ装置９０の決済管理部９４は、決済額が、利用者が開設している銀行口座の残高内であるか否かを銀行のサーバ装置に問い合わせ、問い合わせに対する応答を受信し、受信結果に基づいて決済が可能であるか否かを判定する。
【００５２】
センタサーバ装置７０は、決済が可能であることを示す判定結果を決済サーバ装置９０から受信すると、判定結果を端末装置１００に送信すると共に、利用者が選択した出場駅の自動改札機３０に出場許可リスト５６を送信する。
【００５３】
端末装置１００の端末処理部１０６は、センタサーバ装置７０から決済が可能であることを示す情報を受信すると、受信した情報を端末側記憶部１１０に記憶させる。出場駅の自動改札機３０は、センタサーバ装置７０から出場許可リスト５６を受信すると、受信した情報を改札機側記憶部５２に記憶させる。
【００５４】
上記の処理では、一つの出場駅の、自動改札機３０に出場許可リスト５６を送信する例について説明したが、出場許可リスト５６は複数の駅の自動改札機３０に送信されてもよい。例えば、利用者が選択した出場駅までの運賃と同一運賃（或いは運賃内）で出場できる駅の自動改札機３０にも出場許可リスト５６は送信されてもよい。また、例えば、利用者が、特定の出場駅に代えて、所定の区間（例えば２２０円区間）を指定した場合、指定された区間、或いは区間内の全駅の自動改札機３０に出場許可リスト５６が送信されてもよい。なお、この場合、センタサーバ装置７０は、一覧リストにおいて、出場駅およびそれらの駅までの運賃に加えて（或いは、代えて）、複数の区間に対応する金額の情報を含めて、端末装置１００に送信する。端末装置１００は、タッチパネル部１０２に複数の区間に対応する金額の情報を表示させる。これにより、利用者が出場することができる駅の自由度が向上する。
【００５５】
図１３は、出場時に改札システム１によって行われる処理の概要を示す図である。利用者が、出場駅を出場する際、端末装置１００に対して所定の操作を行うと、タッチパネル部１０２にＩＤ画像が表示される。そして、利用者が、出場駅の自動改札機３０のリーダ３２にＩＤ画像にエンコードされた情報を読み取らせる。自動改札機３０の改札処理部６０は、ＩＤ画像にエンコードされた利用者ＩＤと、出場許可リスト５６の利用者ＩＤとが一致する場合、利用者の出場を許可する。これにより、利用者は出場駅から出場することができる。
【００５６】
利用者が出場駅から出場した後、自動改札機３０の改札処理部６０は、出場した利用者に対応する利用者ＩＤ（出場済利用者ＩＤ）をセンタサーバ装置７０に送信する。センタサーバ装置７０の情報処理部７４は、出場済利用者ＩＤを受信すると、受信した情報を、出場許可リスト５６を送信した出場駅に設置された自動改札機３０（出場済利用者ＩＤの送信元の自動改札機以外の自動改札機３０）に送信する。出場済利用者ＩＤを受信した自動改札機３０は、出場許可リスト５６の中から出場済利用者ＩＤを削除する。
【００５７】
上述した一連の処理によって、管理テーブル８４には、自動改札機３０、決済サーバ装置９０、および端末装置１００により送信された情報や、センタサーバ装置７０が処理した情報が対応付けられる。図１４は、管理テーブル８４の内容を示す図である。管理テーブル８４は、端末装置１００により送信された入場用情報５５、入場用情報を受信した時刻（入場時刻）、端末装置１００において利用者により選択された出場駅の情報、決済サーバ装置９０の判定結果、利用者が出場した出場駅、およびその他改札システム１の処理においてセンタサーバ装置７０が受信（または取得）した情報が互いに対応付けられている。センタサーバ装置７０の情報処理部７４は、管理テーブル８４を参照して、利用者の状況を認識したり、鉄道に関する業務を管理したりする。例えば、出場駅の駅係員の窓口において利用者の改札処理が行われる場合、係員が操作する駅務機器からセンタサーバ装置７０に利用者の入場駅について問い合わせがあると、センタサーバ装置７０は、利用者の入場駅を駅務機器に送信する。これにより、駅係員は、利用者に対する精算処理を行うことができる。
【００５８】
上述したように、利用者は、端末装置１００を用いて、交通機関を利用することができるため、利用者の利便性が向上する。また、利用者は、駅に入場する前に乗車券を購入したり、端末装置１００に対して煩雑な操作をしたりせずに交通機関を利用することができる。更に、センタサーバ装置７０において、利用者の交通機関の利用状況が管理されているため、交通機関の管理者にとっても利便性が向上する。
【００５９】
図１５は、改札システム１により実行される処理を示すシーケンス図である。まず、端末装置１００の改札処理アプリ１１２が所定の操作がされて起動すると、端末処理部１０６は、カメラを起動させる（ステップＳ１００）。自動改札機３０のコード生成部６２は、コード表示部４６にコード画像を表示させる（ステップＳ１０２）。次に、端末装置１００が、コード表示部４６に表示されたコード画像を読み取ると、端末処理部１０６が、改札機情報５４を取得し（ステップＳ１０４）、入場用情報５５を生成して、生成した情報をセンタサーバ装置７０に送信する（ステップＳ１０６）。
【００６０】
次に、センタサーバ装置７０の情報処理部７４が、入場用情報５５を受信し、センタサーバ側記憶部８０に入場用情報５５を記憶させ（ステップＳ１０８）、入場許可メッセージを入場駅の自動改札機３０に送信する（ステップＳ１１０）。入場駅の自動改札機３０（改札処理部６０）が、入場許可メッセージを受信すると、扉４４を開放状態に制御し、利用者の通過を許可する（ステップＳ１１２）。
【００６１】
次に、情報処理部７４は、センタサーバ側記憶部８０から利用者の入場駅に対応する出場駅およびそれらの駅までの運賃を取得し（ステップＳ１１４）、出場駅およびそれらの駅までの運賃の一覧リストを端末装置１００に送信する（ステップＳ１１６）。
【００６２】
次に、端末装置１００の端末処理部１０６は、一覧リストを受信すると、タッチパネル部１０２に出場駅およびそれらの駅までの運賃を表示させる（ステップＳ１１８）。利用者によって出場駅が選択されると、端末処理部１０６は、利用者ＩＤ、および利用者が選択した出場駅の情報をセンタサーバ装置７０に送信する（ステップＳ１２０）。
【００６３】
次に、センタサーバ装置７０の情報処理部７４は、利用者ＩＤ、出場駅およびそれらの駅までの運賃の情報を決済サーバ装置９０に送信する（ステップＳ１２２）。次に、決済サーバ装置９０の決済管理部９４は、入場駅から出場駅までの運賃の決済が可能であるか否かの可能判定を行い（ステップＳ１２４）、可能判定結果をセンタサーバ装置７０に送信する（ステップＳ１２６）。
【００６４】
次に、センタサーバ装置７０の情報処理部７４は、決済サーバ装置９０から決済が可能であることを示す可能判定結果を受信した場合、出場許可リスト５６を出場駅に設置された自動改札機３０のそれぞれに送信する（ステップＳ１２８、Ｓ１３０）。自動改札機３０の改札処理部６０は、センタサーバ装置７０から出場許可リスト５６を受信すると、出場許可リスト５６を改札機側記憶部５２に記憶させる（ステップＳ１３２、Ｓ１３４）。
【００６５】
更に、センタサーバ装置７０の情報処理部７４が、端末装置１００に可能判定結果を送信する（ステップＳ１３６）。なお、センタサーバ装置７０の情報処理部７４は、決済サーバ装置９０から決済ができないことを示す不可能判定結果を受信した場合、端末装置１００に決済することができないことを示す情報や、出場駅の駅係員窓口で精算処理を促す情報を送信する。この場合、端末装置１００の端末処理部１０６は、センタサーバ装置７０から受信した情報をタッチパネル部１０２に表示させ、利用者に決済ができないこと等を通知する。
【００６６】
次に、端末装置１００の端末処理部１０６が、センタサーバ装置７０から可能判定結果を受信すると、端末側記憶部１１０に記憶させる。利用者が、端末装置１００を操作して、ＩＤ画像をタッチパネル部１０２に表示させる（ステップＳ１３８）。この状態で、利用者が画像を自動改札機３０のリーダ３２に翳すと、リーダ３２が、画像にエンコードされた利用者ＩＤを取得する。そして、自動改札機３０の改札処理部６０が、取得した利用者ＩＤと、出場許可リスト５６の利用者ＩＤとが合致する場合、利用者の出場を許可する（ステップＳ１４０）。なお、改札処理部６０は、通過センサ３８の検知結果に基づいて、利用者が自動改札機３０を通過していない場合は、リーダ３２をオフ状態に制御して、後続の利用者の利用を抑制する。
【００６７】
次に、出場駅の自動改札機３０（改札処理部６０）は、センタサーバ装置７０に出場済利用者ＩＤを送信する（ステップＳ１４２）。センタサーバ装置７０の情報処理部７４は、出場済利用者ＩＤを受信すると、出場許可リスト５６を送信した出場駅の自動改札機３０に、出場許可リスト５６から出場済利用者ＩＤの削除を依頼する（ステップＳ１４４）。そして、出場済利用者ＩＤの削除の依頼を受信した改札処理部６０は、改札機側記憶部５２に記憶された出場許可リスト５６のうち、出場済利用者ＩＤに対応する利用者ＩＤを削除する（ステップＳ１４６）。
【００６８】
また、センタサーバ装置７０の情報処理部７４は、出場済利用者ＩＤを受信した場合、出場済利用者ＩＤに対応する利用者の決済を確定させることを要求する情報を決済サーバ装置９０に送信する。そして、決済サーバ装置９０の決済管理部９４が、出場済利用者ＩＤに対応する利用者の決済を確定させる。このように、利用者が駅を出場した後に決済が確定するまで、利用者が出場駅を事前に選択した駅から他の駅に変更した場合であっても、決済を取り消すなどの煩雑な処理を行わずに済む。
【００６９】
なお、上述した処理では、コード画像をコード表示部４６に表示するものとして説明したが、ＱＲコード等の二次元コードやバーコード等の一次元コードは、画像に限らず、印刷物などであってもよい。この場合、駅構内に入場する際に二次元コード等がエンコードされた情報が印刷された印刷物は、利用者が撮像しやすい場所（例えば自動改札機３０の筐体３１の上面部等）に貼付される。
【００７０】
また、上述した例では、出場許可リスト５６は、改札機側記憶部５２に記憶されるものとして説明したが、出場許可リスト５６は、駅サーバ２０の記憶装置に記憶されてもよい。この場合、出場駅の自動改札機３０は、利用者ＩＤを取得すると、取得した利用者ＩＤが出場許可リスト５６の利用者ＩＤと一致するか否かを駅サーバ２０に問い合わせ、問い合わせに対する応答に基づいて、利用者の通過の可否を判定する。また、出場駅の自動改札機３０は、取得した利用者ＩＤが出場許可リスト５６の利用者ＩＤと一致するか否かをセンササーバ装置７０に問い合わせてもよい。
【００７１】
図１６は、センタサーバ装置７０により実行される処理の流れを示すフローチャートである。まず、情報処理部７４が、端末装置１００から入場用情報５５を受信するまで待機する（ステップＳ２００）。情報処理部７４は、入場用情報５５を受信すると、取得した情報を管理テーブル８４の対応する項目に対応付け（ステップＳ２０２）、入場許可メッセージを入場駅の自動改札機３０に送信する（ステップＳ２０４）。
【００７２】
次に、情報処理部７４は、利用者の入場駅に対応する出場駅およびそれらの駅までの運賃を取得し、出場駅およびそれらの駅までの運賃の一覧リストを端末装置１００に送信する（ステップＳ２０６）。次に、情報処理部７４は、利用者により選択された出場駅の情報を端末装置１００から受信するまで待機する（ステップＳ２０８）。情報処理部７４が、出場駅の情報を受信すると、決済サーバ装置９０に運賃の決済が可能であるか否かの可能判定を依頼する（ステップＳ２１０）。次に、情報処理部７４は、決済サーバ装置９０から可能判定結果を受信するまで待機する（ステップＳ２１２）。情報処理部７４は、可能判定結果を受信すると、受信した可能判定結果が決済可能であることを示す情報であるか、決済不可能であることを示す情報であるかを判定する（ステップＳ２１４）。
【００７３】
情報処理部７４が決済可能であることを示す情報を受信した場合、情報処理部７４は、決済が可能であることを示す情報を端末装置１００に送信すると共に（ステップＳ２１６）、出場許可リスト５６を出場駅の自動改札機３０のそれぞれに送信する（ステップＳ２１８）。決済不可能であることを示す情報を受信した場合、情報処理部７４は、決済が不可能であることを示す情報を端末装置１００に送信する（ステップＳ２２０）。これにより本フローチャートの１ルーチンの処理は終了する。
【００７４】
なお、情報処理部７４は、ステップＳ２１８の処理後に、出場済利用者ＩＤを受信するまで待機し、出場済利用者ＩＤを受信した場合、出場済利用者ＩＤに対応する利用者の決済を確定させることを要求する情報を決済サーバ装置９０に送信する。そして、情報処理部７４は、決済サーバ装置９０から決済の完了を示す情報を受信した場合、決済がされた利用者の端末装置１００に決済完了の通知を送信する。
【００７５】
以上説明した第１の実施形態によれば、センタサーバ装置７０が、端末装置１００によってコード表示部４６から読み取られた入場駅の識別情報を含む情報を端末装置１００から受信するのに応じて、入場許可メッセージを入場駅の自動改札機３０に送信するようにセンタサーバ側通信部７２を制御すると共に、出場許可リスト５６を出場駅の自動改札機３０に送信するようにセンタサーバ側通信部７２を制御することにより、利用者にとっての利便性を向上させることができる。
【００７６】
（第２の実施形態）
第１の実施形態では、入場時に端末装置１００が、自動改札機３０のコード表示部４６に表示されたコード画像から情報を読み取り、出場時に自動改札機３０が、端末装置１００のタッチパネル部１０２に表示されたＩＤ画像から情報を読み取るものとした。これに対して、第２の実施形態では、入場時に自動改札機３０が、端末装置１００のタッチパネル部１０２に表示されたＩＤ画像から情報を読み取り、出場時に端末装置１００が、自動改札機３０のコード表示部４６に表示されたコード画像から情報を読み取り、改札処理が実行される。以下、第１の実施形態との相違点を中心に説明する。
【００７７】
第２の実施形態では、入場駅では自動改札機３０α（第１の装置）が利用され、出場駅では自動改札機３０β（第２の装置）が利用される。
【００７８】
自動改札機３０αの改札処理部６０は、改札機情報５４（自駅の識別情報である入場駅識別情報）、およびリーダ３２により読み取られた利用者の識別情報をセンタサーバ装置７０に送信するように改札機側通信部６６を制御する。
【００７９】
自動改札機３０βの改札処理部６０は、コード生成部６２により生成された端末装置１００に対して改札機情報５４（少なくとも自駅の識別情報である出場駅識別情報）がエンコードされたコード画像をコード表示部４６に表示させる。また、改札処理部６０は、改札機側通信部６６がセンタサーバ装置７０から受信した出場許可リスト５６（出場を許可する情報）に応じて、利用者の出場を許可する。
【００８０】
センタサーバ装置７０の情報処理部７４は、センタサーバ側通信部７２が、入場駅の自動改札機３０αにより送信された利用者ＩＤ（利用者の識別情報）および改札機情報５４（入場駅識別情報）と、端末装置１００により送信された利用者ＩＤ（利用者の識別情報）および出場駅の識別情報とを受信するのに応じて、出場許可リスト５（出場を許可する情報）を出場駅の自動改札機３０βに送信するようにセンタサーバ側通信部７２を制御する。
【００８１】
図１７は、第２の実施形態の改札システム１により実行される処理を示すシーケンス図である。まず、端末装置１００の改札処理アプリ１１２が所定の操作がされて起動すると、端末処理部１０６は、少なくとも利用者ＩＤがエンコードされたＩＤ画像（ＱＲコード）をタッチパネル部１０２に表示させる（ステップＳ３００）。次に、利用者が、タッチパネル部１０２に表示されたＩＤ画像を入場駅の自動改札機３０のリーダ３２に読み取らせると、改札処理部６０が、利用者ＩＤを取得し、取得した利用者ＩＤを含む入場用情報５５を生成し（ステップＳ３０２）、生成した情報をセンタサーバ装置７０に送信する（ステップＳ３０４）。この際、利用者の通過が許可される。次に、センタサーバ装置７０の情報処理部７４が、入場用情報５５を受信し、センタサーバ側記憶部８０に入場用情報５５を記憶させる（ステップＳ３０６）。
【００８２】
次に、自動改札機３０のコード生成部６２は、コード表示部４６にコード画像を表示させる（ステップＳ３０８）。次に、端末装置１００の改札処理アプリ１１２が所定の操作がされて起動すると、端末処理部１０６は、カメラを起動させる。この状態で、利用者が、コード表示部４６に表示されたコード画像を端末処理部１０６に読み取らせると、端末処理部１０６が、出場駅の改札機情報５４を取得し（ステップＳ３１０）、取得した情報および利用者ＩＤをセンタサーバ装置７０に送信する（ステップＳ３１２）。
【００８３】
次に、センタサーバ装置７０の情報処理部７４は、運賃テーブル８２および管理テーブル８４を参照して、利用者の入場駅から出場駅までの運賃を取得し（ステップＳ３１４）、出場駅までの運賃を端末装置１００に送信する（ステップＳ３１６）。
【００８４】
次に、端末装置１００の端末処理部１０６は、センタサーバ装置７０から出場駅までの運賃を受信すると、タッチパネル部１０２に出場駅までの運賃、およびパスワードの入力を要求する画像を表示させる（ステップＳ３１８）。利用者によってパスワードが入力されると、端末装置１００は、利用者ＩＤ、および運賃の決済が可能であるか否かを判定する可能判定要求をセンタサーバ装置７０に送信する（ステップＳ３２０）。
【００８５】
次に、センタサーバ装置７０の情報処理部７４は、利用者ＩＤおよび出場駅までの運賃の情報を決済サーバ装置９０に送信し、可能判定を依頼する（ステップＳ３２２）。次に、決済サーバ装置９０の決済管理部９４は、入場駅から出場駅までの運賃の決済が可能であるか否かの判定を行い（ステップＳ３２４）、可能判定結果をセンタサーバ装置７０に送信する（ステップＳ３２６）。
【００８６】
次に、センタサーバ装置７０の情報処理部７４は、決済サーバ装置９０から決済が可能であることを示す可能判定結果を受信した場合、出場駅の自動改札機３０（ステップＳ３１２で送信された改札機情報５４に含まれる改札機ＩＤの自動改札機３０）に出場許可リスト５６を送信する（ステップＳ３３０）。自動改札機３０は、センタサーバ装置７０から出場許可リスト５６を受信すると、扉４４を開放状態にして、利用者の出場を許可する（ステップＳ３３０）。
【００８７】
また、自動改札機３０は、利用者の出場を許可し後、出場を許可したことを示す情報を、その利用者の利用者ＩＤと共にセンタサーバ装置７０に送信する。センタサーバ装置７０の情報処理部７４は、出場した利用者の利用者ＩＤを受信した場合、その利用者ＩＤに対応する利用者の決済を確定させることを要求する情報を決済サーバ装置９０に送信する。そして、決済サーバ装置９０の決済管理部９４が、出場した利用者の利用者ＩＤに対応する利用者の決済を確定させる。
【００８８】
図１８は、センタサーバ装置７０により実行される処理の流れを示すフローチャートである。まず、情報処理部７４が、入場駅の自動改札機３０から入場用情報５５を受信するまで待機する（ステップＳ４００）。情報処理部７４は、入場用情報５５を受信すると、取得した情報を管理テーブル８４の対応する項目に対応付ける（ステップＳ４０２）。
次に、情報処理部７４は、端末装置１００から利用者ＩＤおよび出場駅の改札機情報５４を受信するまで待機する（ステップＳ４０４）。
情報処理部７４は、利用者ＩＤおよび出場駅の改札機情報５４を受信すると、運賃テーブル８２および管理テーブル８４を参照して、入場駅から出場駅までの運賃を導出し、導出した運賃を端末装置１００に送信する（ステップＳ４０６）。
【００８９】
次に、情報処理部７４は、端末装置１００から決済が可能であるかの可能判定要求を受信するまで待機する（ステップＳ４０８）。情報処理部７４は、可能判定要求を受信すると、決済サーバ装置９０に運賃の決済が可能であるか否かの判定を依頼する（ステップＳ４１０）。次に、情報処理部７４は、決済サーバ装置９０から可能判定結果を受信するまで待機する（ステップＳ４１２）。情報処理部７４は、可能判定結果を受信すると、受信した可能判定結果が決済可能であることを示す情報であるか、決済不可能であることを示す情報であるかを判定する（ステップＳ４１４）。
【００９０】
情報処理部７４が決済可能であることを示す情報を受信した場合、情報処理部７４は、決済が可能であることを示す情報を端末装置１００に送信すると共に（ステップＳ４１６）、出場許可リスト５６を出場駅の自動改札機３０のそれぞれに送信する（ステップＳ４１８）。決済不可能であることを示す情報を受信した場合、情報処理部７４は、決済が不可能であることを示す情報を端末装置１００に送信する（ステップＳ４２０）。これにより本フローチャートの１ルーチンの処理は終了する。
【００９１】
なお、情報処理部７４は、ステップＳ４１６の処理後に、出場した利用者の利用者ＩＤを受信するまで待機し、出場した利用者の利用者ＩＤを受信した場合、その利用者ＩＤに対応する利用者の決済を確定させることを要求する情報を決済サーバ装置９０に送信する。そして、情報処理部７４は、決済サーバ装置９０から決済の完了を示す情報を受信した場合、決済がされた利用者の端末装置１００に決済完了の通知を送信する。
【００９２】
以上説明した第２の実施形態によれば、センタサーバ装置７０は、センタサーバ側通信部７２が、入場駅の自動改札機３０により送信された利用者の識別情報および入場駅の識別情報と、端末装置１００により送信された利用者の識別情報および出場駅の識別情報とを受信するのに応じて、利用者の出場を許可する情報を出場駅の自動改札機３０に送信するようにセンタサーバ側通信部７２を制御することにより、第１の実施形態の効果と同様の効果を奏する。また、第２の実施形態では、利用者は入場駅に入場し、且つ出場駅から出場する前に、端末装置１００を操作して出場駅を選択する必要がないため、利用者の利便性が向上する。
【００９３】
（第３の実施形態）
第１の実施形態では、入場時に端末装置１００が、自動改札機３０のコード表示部４６に表示されたコード画像から情報を読み取り、出場時に自動改札機３０が、端末装置１００のタッチパネル部１０２に表示されたＩＤ画像から情報を読み取るものとした。これに対して、第３の実施形態では、入場時および出場時に端末装置１００が、自動改札機３０のコード表示部４６に表示されたコード画像から情報を読み取り、改札処理が実行される。以下、第１の実施形態との相違点を中心に説明する。
【００９４】
第３の実施形態では、入場駅および出場駅では自動改札機３０β（第１の装置および第２の装置）が利用される。
【００９５】
入場駅の自動改札機３０βの改札処理部６０は、利用者の端末装置１００に対して、コード生成部６２により生成された改札機情報５４（少なくとも自駅の識別情報である入場駅識別情報）がエンコードされたコード画像をコード表示部４６に表示させる。また、改札処理部６０は、改札機側通信部６６がセンタサーバ装置７０から受信した入場許可メッセージ（入場可否情報）に基づいて利用者の入場判定を行う。
【００９６】
出場駅の自動改札機３０βの改札処理部６０は、利用者の端末装置１００に対して、コード生成部６２により生成された改札機情報５４（少なくとも自駅の識別情報である出場駅識別情報）がエンコードされたコード画像をコード表示部４６に表示させる。また、改札処理部６０は、改札機側通信部６６がセンタサーバ装置７０から受信した出場許可リスト（出場を許可する情報）に基づいて利用者の出場を許可する。
【００９７】
センタサーバ装置７０の情報処理部７４は、センタサーバ側通信部７２が、端末装置１００により送信された利用者ＩＤ（利用者の識別情報）および入場駅の改札機情報５４（入場駅識別情報）と、端末装置１００により送信された利用者ＩＤ（利用者の識別情報）および出場駅の改札機情報５４（出場駅識別情報）とを受信するのに応じて、出場許可リスト５６（出場を許可する情報）を入場駅の自動改札機３０βに送信するようにセンタサーバ側通信部７２を制御する。
【００９８】
図１９は、第３の実施形態の改札システム１により実行される処理を示すシーケンス図である。まず、端末装置１００の改札処理アプリ１１２が所定の操作がされて起動すると、端末処理部１０６は、カメラを起動させる（ステップＳ５００）。自動改札機３０のコード生成部６２は、コード表示部４６にコード画像を表示させる（ステップＳ５０２）。次に、利用者が、コード表示部４６に表示されたコード画像を端末処理部１０６に読み取らせると、端末処理部１０６が、改札機情報５４を取得し（ステップＳ５０４）、入場用情報５５を生成して、生成した情報をセンタサーバ装置７０に送信する（ステップＳ５０６）。
【００９９】
次に、センタサーバ装置７０の情報処理部７４が、入場用情報５５を受信し、センタサーバ側記憶部８０に入場用情報５５を記憶させ（ステップＳ５０８）、入場許可メッセージを入場駅の自動改札機３０に送信する（ステップＳ５１０）。入場駅の自動改札機３０（改札処理部６０）が、入場許可メッセージを受信すると、扉４４を開放状態に制御し、利用者の通過を許可する（ステップＳ５１２）。
【０１００】
次に、自動改札機３０のコード生成部６２は、コード表示部４６にコード画像を表示させる（ステップＳ５１４）。次に、端末装置１００の改札処理アプリ１１２が所定の操作がされて起動すると、端末処理部１０６は、カメラを起動させる（ステップＳ５１６）。次に、利用者が、コード表示部４６に表示されたコード画像を端末装置１００に読み取らせると、端末処理部１０６が、出場駅の改札機情報５４を取得し（ステップＳ５１８）、取得した情報および利用者ＩＤをセンタサーバ装置７０に送信する（ステップＳ５２０）。
【０１０１】
次に、センタサーバ装置７０の情報処理部７４は、運賃テーブル８２および管理テーブル８４を参照して、利用者の入場駅から出場駅までの運賃を取得し（ステップＳ５２２）、出場駅までの運賃を端末装置１００に送信する（ステップＳ５２４）。
【０１０２】
次に、端末装置１００の端末処理部１０６は、センタサーバ装置７０から出場駅までの運賃を受信すると、タッチパネル部１０２に出場駅までの運賃、およびパスワードの入力を要求する画像を表示させる（ステップＳ５２６）。利用者によってパスワードが入力されると、端末処理部１０６は、利用者ＩＤ、および運賃の決済が可能であるか否かを判定する可能判定要求をセンタサーバ装置７０に送信する（ステップＳ５２８）。
【０１０３】
次に、センタサーバ装置７０の情報処理部７４は、利用者ＩＤおよび出場駅までの運賃の情報を決済サーバ装置９０に送信し、可能判定を依頼する（ステップＳ５３０）。次に、決済サーバ装置９０の決済管理部９４は、入場駅から出場駅までの運賃の決済が可能であるか否かの可能判定を行い（ステップＳ５３２）、可能判定結果をセンタサーバ装置７０に送信する（ステップＳ５３４）。
【０１０４】
次に、センタサーバ装置７０の情報処理部７４は、決済サーバ装置９０から決済が可能であることを示す可能判定結果を受信した場合、出場駅の自動改札機３０（ステップＳ５２０で送信された改札機情報５４に含まれる改札機ＩＤの自動改札機３０）に出場許可リスト５６を送信する（ステップＳ５３６）。自動改札機３０の改札処理部６０は、センタサーバ装置７０から出場許可リスト５６を受信すると、扉４４を開放状態にして、利用者の出場を許可する（ステップＳ５３８）。
【０１０５】
また、自動改札機３０は、利用者の出場を許可し後、出場を許可したことを示す情報を、その利用者の利用者ＩＤと共にセンタサーバ装置７０に送信する。センタサーバ装置７０の情報処理部７４は、出場した利用者の利用者ＩＤを受信した場合、その利用者ＩＤに対応する利用者の決済を確定させることを要求する情報を決済サーバ装置９０に送信する。そして、決済サーバ装置９０の決済管理部９４が、出場した利用者の利用者ＩＤに対応する利用者の決済を確定させる。
【０１０６】
図２０は、センタサーバ装置７０により実行される処理の流れを示すフローチャートである。まず、情報処理部７４が、端末装置１００から入場用情報５５を受信するまで待機する（ステップＳ６００）。情報処理部７４は、入場用情報５５を受信すると、取得した情報を管理テーブル８４の対応する項目に対応付け（ステップＳ６０２）、入場許可メッセージを入場駅の自動改札機３０に送信する（ステップＳ６０４）。
【０１０７】
次に、情報処理部７４は、端末装置１００から利用者ＩＤおよび出場駅の改札機情報５４を受信するまで待機する（ステップＳ６０６）。情報処理部７４は、利用者ＩＤおよび出場駅の改札機情報５４を受信すると、運賃テーブル８２および管理テーブル８４を参照して、入場駅から出場駅までの運賃を導出し、導出した運賃を端末装置１００に送信する（ステップＳ６０８）。
【０１０８】
次に、情報処理部７４は、端末装置１００から決済が可能であるかの可能判定要求を受信するまで待機する（ステップＳ６１０）。情報処理部７４は、判定要求を受信すると、決済サーバ装置９０に運賃の決済が可能であるか否かの判定を依頼する（ステップＳ６１２）。次に、情報処理部７４は、決済サーバ装置９０から可能判定結果を受信するまで待機する（ステップＳ６１４）。情報処理部７４は、可能判定結果を受信すると、受信した可能判定結果が決済可能であることを示す情報であるか、決済不可能であることを示す情報であるかを判定する（ステップＳ６１６）。
【０１０９】
情報処理部７４が決済可能であることを示す情報を受信した場合、情報処理部７４は、決済が可能であることを示す情報を端末装置１００に送信すると共に（ステップＳ６１８）、出場許可リスト５６を出場駅の自動改札機３０のそれぞれに送信する（ステップＳ６２０）。決済不可能であることを示す情報を受信した場合、情報処理部７４は、決済が不可能であることを示す情報を端末装置１００に送信する（ステップＳ６２２）。これにより本フローチャートの１ルーチンの処理は終了する。
【０１１０】
なお、情報処理部７４は、ステップＳ６２０の処理後に、出場した利用者の利用者ＩＤを受信するまで待機し、出場した利用者の利用者ＩＤを受信した場合、その利用者ＩＤに対応する利用者の決済を確定させることを要求する情報を決済サーバ装置９０に送信する。そして、情報処理部７４は、決済サーバ装置９０から決済の完了を示す情報を受信した場合、決済がされた利用者の端末装置１００に決済完了の通知を送信する。
【０１１１】
以上説明した第３の実施形態では、センタサーバ装置７０は、センタサーバ側通信部７２が入場駅の自動改札機３０により送信された利用者の識別情報および入場駅の識別情報と、端末装置１００により送信された利用者の識別情報および出場駅の識別情報とを受信するのに応じて、出場許可リスト５６を出場駅の自動改札機３０に送信するようにセンタサーバ側通信部７２を制御することにより、第１の実施形態の効果と同様の効果を奏する。
【０１１２】
（第４の実施形態）
第１の実施形態では、入場時に端末装置１００が、自動改札機３０のコード表示部４６に表示されたコード画像から情報を読み取り、出場時に自動改札機３０が、端末装置１００のタッチパネル部１０２に表示されたＩＤ画像から情報を読み取るものとした。これに対して、第４の実施形態では、入場時および出場時に自動改札機３０が、端末装置１００のタッチパネル部１０２に表示されたＩＤ画像から情報を読み取り、改札処理が実行される。以下、第１の実施形態との相違点を中心に説明する。
【０１１３】
第４の実施形態では、入場駅および出場駅で自動改札機３０αが利用される。
【０１１４】
自動改札機３０αの改札処理部６０は、リーダ３２により読み取られた利用者ＩＤ（入場用情報）をセンタサーバ装置７０に送信する。改札処理部６０は、リーダ３２により読み取られた利用者ＩＤ（出場用情報）と改札機側通信部６６がセンタサーバ装置７０から受信した出場許可リスト５６（出場用情報による出場を許可することを要求する出場許可要求情報）とに基づいて出場判定を行う。
【０１１５】
センタサーバ装置７０の情報処理部７４は、センタサーバ側通信部７２が、入場駅の自動改札機３０αのリーダ３２によって読み取られた利用者ＩＤ（入場駅識別情報を含む入場要求情報）を入場駅の自動改札機３０αから受信し、出場駅の自動改札機３０αのリーダ３２によって読み取られた利用者ＩＤ（出場駅識別情報を含む出場要求情報）を入場駅の自動改札機３０αから受信するのに応じて、出場許可リスト５６（出場許可要求情報）を出場駅の自動改札機３０αに送信するようにセンタサーバ側通信部７２を制御する。
【０１１６】
図２１は、第４の実施形態の改札システム１により実行される処理を示すシーケンス図である。まず、端末装置１００の改札処理アプリ１１２が所定の操作がされて起動すると、端末処理部１０６は、ＩＤ画像をタッチパネル部１０２に表示させる（ステップＳ７００）。次に、利用者が、タッチパネル部１０２に表示されたＩＤ画像を入場駅の自動改札機３０のリーダ３２に読み取らせると、改札処理部６０が、利用者ＩＤを取得し、取得した利用者ＩＤを含む入場用情報５５を生成し（ステップＳ７０２）、生成した情報をセンタサーバ装置７０に送信する（ステップＳ７０４）。次に、センタサーバ装置７０の情報処理部７４が、入場用情報５５を受信し、センタサーバ側記憶部８０に入場用情報５５を記憶させる（ステップＳ７０６）。
【０１１７】
次に、利用者が、端末装置１００を操作して、ＩＤ画像をタッチパネル部１０２に表示させる（ステップＳ７０８）。この状態で、利用者がＩＤ画像を自動改札機３０のリーダ３２に翳すと、リーダ３２が、ＩＤ画像から利用者ＩＤを取得する（ステップＳ７１０）。そして、改札処理部６０が、取得した利用者ＩＤ、および改札機情報５４をセンタサーバ装置７０に送信する（ステップＳ７１０）。
【０１１８】
センタサーバ装置７０の情報処理部７４は、利用者ＩＤおよび出場駅の改札機情報５４を受信すると、運賃テーブル８２および管理テーブル８４を参照して、入場駅から出場駅までの運賃を導出し（ステップＳ７１４）、導出した運賃を端末装置１００に送信する（ステップＳ７１６）。
【０１１９】
次に、端末装置１００の端末処理部１０６は、センタサーバ装置７０から出場駅までの運賃を受信すると、タッチパネル部１０２に出場駅までの運賃、およびパスワードの入力を要求する画像を表示させる（ステップＳ７１８）。利用者によってパスワードが入力されると、端末処理部１０６は、利用者ＩＤ、および利用者が運賃の決済が可能であるか否かの判定する可能判定要求をセンタサーバ装置７０に送信する（ステップＳ７２０）。
【０１２０】
次に、センタサーバ装置７０の情報処理部７４は、利用者ＩＤおよび出場駅までの運賃の情報を決済サーバ装置９０に送信し、可能判定を依頼する（ステップＳ７２２）。次に、決済サーバ装置９０は、入場駅から出場駅までの運賃の決済が可能であるか否かの判定を行い（ステップＳ７２４）、可能判定結果をセンタサーバ装置７０に送信する（ステップＳ７２６）。
【０１２１】
次に、センタサーバ装置７０の情報処理部７４は、決済サーバ装置９０から決済が可能であることを示す可能判定結果を受信した場合、出場駅の自動改札機３０（ステップＳ７１２で送信された改札機情報５４に含まれる改札機ＩＤの自動改札機３０）に出場許可リスト５６を送信する（ステップＳ７２８）。自動改札機３０の改札処理部６０は、センタサーバ装置７０から出場許可リスト５６を受信すると、扉４４を開放状態にして、利用者の出場を許可する（ステップＳ７３０）。
【０１２２】
また、自動改札機３０は、利用者の出場を許可し後、出場を許可したことを示す情報を、その利用者の利用者ＩＤと共にセンタサーバ装置７０に送信する。センタサーバ装置７０の情報処理部７４は、出場した利用者の利用者ＩＤを受信した場合、その利用者ＩＤに対応する利用者の決済を確定させることを要求する情報を決済サーバ装置９０に送信する。そして、決済サーバ装置９０の決済管理部９４が、出場した利用者の利用者ＩＤに対応する利用者の決済を確定させる。
【０１２３】
図２２は、第４の実施形態のセンタサーバ装置７０により実行される処理の流れを示すフローチャートである。まず、情報処理部７４が、入場駅の自動改札機３０から入場用情報５５を受信するまで待機する（ステップＳ８００）。情報処理部７４は、入場用情報５５を受信すると、取得した情報を管理テーブル８４の対応する項目に対応付ける（ステップＳ８０２）。
【０１２４】
次に、情報処理部７４は、出場駅の自動改札機３０から利用者ＩＤおよび出場駅の改札機情報５４を受信するまで待機する（ステップＳ８０４）。情報処理部７４は、出場駅の自動改札機３０から利用者ＩＤおよび出場駅の改札機情報５４を受信すると、運賃テーブル８２および管理テーブル８４を参照して、入場駅から出場駅までの運賃を導出し、導出した運賃を端末装置１００に送信する（ステップＳ８０６）。
【０１２５】
次に、情報処理部７４は、端末装置１００から可能判定要求を受信するまで待機する（ステップＳ８０８）。情報処理部７４は、可能判定要求を受信すると、決済サーバ装置９０に運賃の決済が可能であるか否かの可能判定を依頼する（ステップＳ８１０）。次に、情報処理部７４は、決済サーバ装置９０から可能判定結果を受信するまで待機する（ステップＳ８１２）。情報処理部７４は、可能判定結果を受信すると、受信した可能判定結果が決済可能であることを示す情報であるか、決済不可能であることを示す情報であるかを判定する（ステップＳ８１４）。
【０１２６】
情報処理部７４は、情報処理部７４が決済可能であることを示す情報を受信した場合、決済が可能であることを示す情報を端末装置１００に送信すると共に（ステップＳ８１６）、出場許可リスト５６を出場駅の自動改札機３０のそれぞれに送信する（ステップＳ８１８）。決済不可能であることを示す情報を受信した場合、情報処理部７４は、決済が不可能であることを示す情報を端末装置１００に送信する（ステップＳ８２０）。これにより本フローチャートの１ルーチンの処理は終了する。
【０１２７】
なお、情報処理部７４は、ステップＳ８１８の処理後に、出場した利用者の利用者ＩＤを受信するまで待機し、出場した利用者の利用者ＩＤを受信した場合、その利用者ＩＤに対応する利用者の決済を確定させることを要求する情報を決済サーバ装置９０に送信する。そして、情報処理部７４は、決済サーバ装置９０から決済の完了を示す情報を受信した場合、決済がされた利用者の端末装置１００に決済完了の通知を送信する。
【０１２８】
以上説明した第４の実施形態によれば、センタサーバ装置７０は、センタサーバ側通信部７２が入場駅の自動改札機３０により送信された利用者の識別情報および入場駅の識別情報と、出場駅の自動改札機３０により送信された利用者の識別情報および出場駅の識別情報とを受信するのに応じて、出場許可リスト５６を出場駅の自動改札機３０に送信するようにセンタサーバ側通信部７２を制御することにより、第１の実施形態の効果と同様の効果を奏する。
【０１２９】
以上の説明では、交通システムが鉄道に利用される例について説明したが、交通システムはバスについても適用されてもよい。この場合、例えば、バスの乗降口には、自動改札機３０と同様の機能構成を有する管理装置が設けられる。管理装置は、「第１の装置」または「第２の装置」の一例である。また、この管理装置は、更に運転手の操作に基づいて出力される現在バスが存在する停留所の識別情報を取得する機能、またはＧＰＳ衛星などから自装置の現在地を取得する位置測位部などを備える。また、センタサーバ装置５０は、乗車時の停留所の識別情報と降車時の停留所の識別情報との区間に対する運賃が対応付けられた運賃テーブルや、乗車時の位置情報と降車時の位置情報との区間に対する運賃が対応付けられた運賃テーブルを備える。例えば、利用者がバスに乗車および降車する際、入出場用リーダライタ３２に媒体Ｍを翳す。センタサーバ装置７０の情報処理部７４は、乗降車の際に管理装置から送信された利用者のＩＤ、および乗車時の停留所の識別情報と、利用者のＩＤ、および降車時の停留所の識別情報とを取得し、取得した情報と、運賃テーブルとに基づいて、利用者の可能判定結果を取得し、出場許可リストを降車時に利用される自動改札機３０に送信する。これにより、利用者は、バスの乗降車を行うことができる。なお、交通システムは、鉄道、バスに限らず、路面電車や、バス・ラピッド・トランジット（ＢＲＴ；Ｂｕｓ ｒａｐｉｄ ｔｒａｎｓｉｔ）、フェリー、航空機、ロープウェイなどの交通システムに適用することができる。
【０１３０】
以上説明した少なくともひとつの実施形態によれば、入場駅に設けられた第１の改札機であって、利用者の端末装置に対して少なくとも自駅の識別情報である入場駅識別情報がエンコードされた画像を表示する表示部、サーバ装置と通信する第１の通信部、および、前記第１の通信部が前記サーバ装置から受信した入場可否情報に基づいて前記利用者の入場判定を行う入場判定部を有する第１の改札機と、出場駅に設けられた第２の改札機であって、前記端末装置に表示された画像から出場用情報を読み取る読取部、サーバ装置と通信する第２の通信部、および、前記読取部により読み取られた出場用情報と前記第２の通信部が前記サーバ装置から受信した前記出場用情報による出場を許可することを要求する出場許可要求情報とに基づいて出場判定を行う出場判定部を有する第２の改札機と、サーバ装置であって、前記端末装置、前記第１の改札機および前記第２の改札機と通信する第３の通信部、および、前記第３の通信部が、前記端末装置によって前記表示部から読み取られた前記入場駅識別情報を含む入場要求情報を前記端末装置から受信するのに応じて、入場可否情報を前記第１の改札機に送信するように前記第３の通信部を制御すると共に、前記出場許可要求情報を前記第２の改札機に送信するように前記第３の通信部を制御する制御部を有するサーバ装置とを持つことにより、利用者にとっての利便性を向上させることができる。
【０１３１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１３２】
１…改札システム、３０…自動改札機、３２…リーダ、３２…リーダ、５０…制御部、５２…改札機側記憶部、５２…改札機側記憶部、５４…改札機情報、５５…入場用情報、５６…出場許可リスト、５８…画像処理部、６０…改札処理部、６２…コード生成部、６６…改札機側通信部、７０…センタサーバ装置、７２…センタサーバ側通信部、７４…情報管理部、８０…センタサーバ側記憶部、８２…運賃テーブル、８４…管理テーブル、９０…決済サーバ装置、９２…決済サーバ側通信部、９４…決済管理部、９６…決済サーバ側記憶部、１００…運賃を端末装置、１０２…タッチパネル部、１０４…端末側通信部、１０６…端末処理部、１０８…カメラ、１１０…端末側記憶部、１１２…改札処理アプリ
【図１】
2018147270.tif 000003
【図２】
2018147270.tif 000004
【図３】
2018147270.tif 000005
【図４】
2018147270.tif 000006
【図５】
2018147270.tif 000007
【図６】
2018147270.tif 000008
【図７】
2018147270.tif 000009
【図８】
2018147270.tif 000010
【図９】
2018147270.tif 000011
【図１０】
2018147270.tif 000012
【図１１】
2018147270.tif 000013
【図１２】
2018147270.tif 000014
【図１３】
2018147270.tif 000015
【図１４】
2018147270.tif 000016
【図１５】
2018147270.tif 000017
【図１６】
2018147270.tif 000018
【図１７】
2018147270.tif 000019
【図１８】
2018147270.tif 000020
【図１９】
2018147270.tif 000021
【図２０】
2018147270.tif 000022
【図２１】
2018147270.tif 000023
【図２２】
2018147270.tif 000024